(57)【特許請求の範囲】
【請求項１】
上流のガス流路を開閉するマグネット弁を備えた電磁安全弁装置と、パイロットガス口に備えたパイロット弁と、メインバーナへの流路に備えた器具栓とを備え、
点火ツマミの点火操作軸には上記パイロット弁と上記器具栓をそれぞれ開閉する器具栓用カムとパイロット弁用カムとを一体に備えたカム体を回転方向にのみ固定して備え、
点火ツマミの押し操作により上記マグネット弁が開弁され、点火ツマミの回動操作により上記パイロット弁用カムで上記パイロット弁を開弁してパイロットバーナへガス供給され、パイロット炎で加熱される熱電対の起電力により上記マグネット弁が開弁保持され、点火ツマミの押圧を解いたその後の点火ツマミの回動操作により上記器具栓用カムで器具栓を開弁してメインバーナへガス供給されるものであり、
一方、缶体内の湯温を感知して進退する感熱棒によりスナップ弁を開閉してメインバーナを点滅し缶体内の湯温を設定温度に自動制御する貯湯式ボイラーのコントロールバルブであって、
上記パイロット弁と器具栓とにガスを供給する流路に、ガス圧により調圧バネとバランスするところまでダイヤフラム及びガスバルブが動き、バルブシートに対するガスバルブの接離によりガス流路の開度が調節され、上記メインバーナへのガス流量とパイロットバーナへのガス流量に見合ったガス量が常時正確に保たれてパイロット流量からメイン流量までの広い制御域が得られる１つのガバナ弁を備えたことを特徴とする貯湯式ボイラーのコントロールバルブ。
【請求項２】
上記バルブに対するシート面はゴムモールド及び研磨によりシート性が高められていることを特徴とする請求項１に記載の貯湯式ボイラーのコントロールバルブ。
【請求項３】
上記バルブはバルブ軸にガイドピンが遊挿されて倒れ防止を図っていることを特徴とする請求項１または２記載の貯湯式ボイラーのコントロールバルブ。
【請求項４】
上記パイロットバーナは熱電対の加熱を兼備する常火パイロットバーナであることを特徴とする請求項１ないし３のいずれかに記載の貯湯式ボイラーのコントロールバルブ。
【発明の詳細な説明】
【０００１】
【発明の属する技術分野】
この発明は、缶体内の湯温を設定温度に自動制御する常火パイロット方式の貯湯式ボイラーのコントロールバルブに関する。
【０００２】
【従来の技術】
従来のこの種の貯湯式ボイラーのコントロールバルブは、たとえば、図３に例示されているように、メインガス流路にメインバーナ用ガバナ弁ＭＧＶ′を備え、パイロットガス流路にはパイロットバーナ用ガバナ弁ＰＧＶ′を備えており、上記メインバーナ用ガバナ弁ＭＧＶ′は、不使用時には点火ツマミ１′と一体の点火操作軸２′の先端に設けられたテーパカム２ａ′でそのガスバルブＶ４′をダイヤフラム１５′とともに連動レバー３０′を介して調圧バネ１６′に抗して持上げ閉止した状態に保持する構造となっており、パイロットバーナ用ガバナ弁ＰＧＶ′はダイヤフラム１５″とガスバルブＶ４″及び調圧バネ１６″からなる構造となっている。
そこで、点火に際し、先ず、点火ツマミ１′を「止」の位置から「パイロット」の位置まで回動した後、一定のストロークだけ押動すると、電磁安全弁装置ＭＶ′のマグネット弁Ｖ１′を点火操作軸２′で押し開くため、ガス入口５ａ′からのガスはパイロットガス流路に装備されたパイロットバーナ用ガバナ弁ＰＧＶ′を経てパイロットバーナＰＢ′に供給され、マッチ、ライター等でパイロット点火を行うことによりパイロット炎ｃ′を形成しマグネット弁Ｖ１′を開弁保持する。このとき、メインバーナ用ガバナ弁ＭＧＶ′のガスバルブＶ４′は未だ閉止状態にある。その後、点火ツマミ１′の押圧を解いて点火ツマミ１′を「パイロット」の位置から「開」の位置まで回動すると、点火操作軸２′のテーパカム２ａ′によるメインバーナ用ガバナ弁ＭＧＶ′のガスバルブＶ４′の持上げ閉止が解除され、ガスバルブＶ４′を開弁しフリー状態として以後はダイヤフラム１５′と連動してガバナ弁として働くようになっている。
また、マグネット弁Ｖ１′が器具栓を兼用しているため、マグネット弁Ｖ１′を強制的に閉弁する機構が必要なことから、電磁安全弁装置ＭＶ′への電力の供給を遮断するスイッチＳ′をマグネット回路に備え、このスイッチＳ′を点火ツマミ１′が「止」位置になったときスイッチＳ′がＯＦＦしてマグネット弁Ｖ１′を閉じる構造となっている。
【０００３】
さらに、缶体Ａ′内の湯温が設定温度より低いときは、感熱棒Ｂ′によりスナップレバー２３′を介してスナップ板２５′を反転させスナップ弁Ｖ５′を開いてメインバーナにガスを供給し先のパイロット炎ｃ′でこれに着火し缶体Ａ′内の湯温を設定温度にまで上昇する。缶体Ａ′内の湯温が設定温度に達すると、感熱棒Ｂ′がこれを感知してスナップ板２５′を元位置（スタンバイ位置）に戻すため、スナップ弁Ｖ５′は閉じてメインバーナを消火しスタンバイ状態に復帰する構造となっている。図中Ｆ′はマグネット回路に組み込まれた温度ヒューズ、２８′は温度設定用ネジで、スナップレバー２３′の基端部を支承して備えられている。３１′はパイロットフィルターである。
【０００４】
【発明が解決しようとする課題】
しかしながら、上記従来のコントロールバルブでは、メインバーナ用のガバナ弁ＭＧＶ′とパイロットバーナ用のガバナ弁ＰＧＶ′とを各別に装備した２ガバナ方式を採っているため、構造の複雑化は勿論のこと、コントロールバルブ自体の大型化は免れ難く、コスト的にも高くなるという問題点があった。
また、マグネット回路に電気スイッチＳ′と温度ヒューズＦ′を組み込んでいるので、マグネット回路抵抗の経時的増加が懸念され、電気抵抗が増加するとマグネット回路に流れる電流が低下するという問題点も併せ有していた。
【０００５】
この発明の貯湯式ボイラーのコントロールバルブは上記課題を解決し、パイロット流量からメイン流量までの広い制御域を１つのガバナで制御できるようにして、上記従来の技術の問題点を解消した貯湯式ボイラーのコントロールバルブの提供を目的としている。
【０００６】
【課題を解決するための手段】
上記課題を解決するこの発明の請求項１記載の貯湯式ボイラーのコントロールバルブは、
上流のガス流路を開閉するマグネット弁を備えた電磁安全弁装置と、パイロットガス口に備えたパイロット弁と、メインバーナへの流路に備えた器具栓とを備え、
点火ツマミの点火操作軸には上記パイロット弁と上記器具栓をそれぞれ開閉する器具栓用カムとパイロット弁用カムとを一体に備えたカム体を回転方向にのみ固定して備え、
点火ツマミの押し操作により上記マグネット弁が開弁され、点火ツマミの回動操作により上記パイロット弁用カムで上記パイロット弁を開弁してパイロットバーナへガス供給され、パイロット炎で加熱される熱電対の起電力により上記マグネット弁が開弁保持され、点火ツマミの押圧を解いたその後の点火ツマミの回動操作により上記器具栓用カムで器具栓を開弁してメインバーナへガス供給されるものであり、
一方、缶体内の湯温を感知して進退する感熱棒によりスナップ弁を開閉してメインバーナを点滅し缶体内の湯温を設定温度に自動制御する貯湯式ボイラーのコントロールバルブであって、
上記パイロット弁と器具栓とにガスを供給する流路に、ガス圧により調圧バネとバランスするところまでダイヤフラム及びガスバルブが動き、バルブシートに対するガスバルブの接離によりガス流路の開度が調節され、上記メインバーナへのガス流量とパイロットバーナへのガス流量に見合ったガス量が常時正確に保たれてパイロット流量からメイン流量までの広い制御域が得られる１つのガバナ弁を備えたことを要旨とする。
【０００８】
上記課題を解決するこの発明の請求項２載の貯湯式ボイラーのコントロールバルブは、上記請求項１記載の貯湯式ボイラーのコントロールバルブにおいて、
上記バルブに対するシート面はゴムモールド及び研磨によりシート性が高められていることを要旨とする。
【０００９】
上記課題を解決するこの発明の請求項３記載の貯湯式ボイラーのコントロールバルブは、上記請求項１または２記載の貯湯式ボイラーのコントロールバルブにおいて、
上記バルブはバルブ軸にガイドピンが遊挿されて倒れ防止を図っていることを要旨とする。
【００１０】
上記課題を解決するこの発明の請求項４記載の貯湯式ボイラーのコントロールバルブは、上記請求項１ないし３のいずれかに記載の貯湯式ボイラーのコントロールバルブにおいて、  上記パイロットバーナは熱電対の加熱を兼備する常火パイロットバーナであることを要旨とする。
【００１１】
上記構成を有するこの発明の請求項１記載の貯湯式ボイラーのコントロールバルブは、点火ツマミの押し回し操作でマグネット弁の開弁とパイロットバーナへの点火が行れ、パイロット炎で加熱される熱電対の起電力によりマグネット弁が開弁保持され、点火ツマミの押圧を解いたその後の回動操作で器具栓を開弁してメインバーナへのガス供給を可能としたスタンバイ状態となり、一方、缶体内の湯温を感知して進退する感熱棒によりスナップ弁が開閉されてメインバーナを点滅することにより缶体内の湯温を設定温度に自動制御する貯湯式ボイラーにおいて、上記メインバーナへのガス流量とパイロットバーナへのガス流量をバルブとバルブシートとの関係位置がパイロット流量とメイン流量に見合ったガス量が常時正確に安定して得られるように保たれてパイロット流量からメイン流量までの広い制御域が得られる１つのガバナ弁で安定制御するようにした。この結果、従来の２ガバナ方式のものに比べ構造の簡略化は勿論のこと、コスト的にも安く提供できる。
【００１２】
また、ガバナ弁のバルブとバルブシートの加工精度の確保とバルブの倒れ防止に対する配慮とがなされているから、パイロット流量からメイン流量までの広い制御域を１つのガバナ弁で対処できる。
【００１３】
上記構成を有するこの発明の請求項２、３記載の貯湯式ボイラーのコントロールバルブは、バルブに対するシート面はゴムモールド及び研磨によりシート性が高められ、また、バルブはバルブ軸にガイドピンが遊挿されて倒れ防止を図っているから、バルブとバルブシートとの関係位置が常に正確に保たれる。
【００１４】
上記構成を有するこの発明の請求項４記載の貯湯式ボイラーのコントロールバルブは、パイロットバーナが熱電対の加熱を兼備する常火パイロットバーナであるため、パイロット炎の消火によりマグネット弁は閉弁される。この結果、マグネット回路に電気スイッチを設けたもののように、回路抵抗の経時的増加による起電力の低下はなく信頼性が高い。
【００１５】
【発明の実施の形態】
以上説明したこの発明の構成、作用を一層明かにするために、以下この発明の貯湯式ボイラーのコントロールバルブの好適な実施の形態について図面を参照して説明する。
【００１６】
図１及び図２において、１は点火ツマミで、この点火ツマミ１の押し回し操作でマグネット弁Ｖ１の開弁とパイロットバーナＰＢへの点火が行いうるようになっている。すなわち、点火ツマミ１と一体の点火操作軸２に器具栓用カム３ａとパイロット弁用カム３ｂとを一体に備えたカム体３を回転方向にのみ固定して備え、上記点火操作軸２の先端延長軸４を点火操作軸２と同一軸線上のガス流路５の上流側に備えられた電磁安全弁装置ＭＶと関連させている。
上記電磁安全弁ＭＶは、バネ６で閉止方向に付勢して備えられたマグネット弁Ｖ１と、このマグネット弁Ｖ１と一体の吸着板７を電磁石Ｍの吸着面８に接離するように対向して備えた構造となっており、上記点火操作軸２と一体の先端延長軸４は上記電磁安全弁ＭＶのマグネット弁Ｖ１に同一軸心を保って接離するように位置している。そして、この先端延長軸４を有する点火操作軸２はバネ９で復帰方向（後退方向）に付勢されている。
【００１７】
そこで、点火ツマミ１を軸方向に一定のストロークだけ復帰バネ９に抗して押し込むと、点火操作軸２と一体の先端延長軸４でマグネット弁Ｖ１を押し開くと同時にマグネット弁Ｖ１と一体の吸着板７を電磁石Ｍの吸着面８に押し当てる。次いで、点火ツマミ１を押したまま「止」位置から「パイロット」位置まで図示反時計方向へ一定の角度（略９０度）ａだけ回動すると、点火操作軸２に備えたカム体３も回動してパイロット弁用カム３ｂでパイロット弁Ｖ２を閉止用バネ１０に抗して押し開き、ガス流路５のガス入口５ａからのガスをマグネット弁Ｖ１から後述するガバナ弁ＧＶでパイロット流量に見合った安定したガス圧に制御してパイロット弁Ｖ２からパイロットガス入口１１→パイロットガス流路１２を経てパイロットバーナＰＢに供給する。そこで、パイロットバーナＰＢにマッチ、ライター等で点火すると、パイロットバーナＰＢにパイロット炎ｃが形成される。
【００１８】
上記パイロットバーナＰＢに点火されると、パイロット炎ｃで熱電対ＴＣを加熱するため、加熱される熱電対ＴＣの起電力でマグネット弁Ｖ１は開弁保持される。すなわち、パイロット炎ｃで熱電対ＴＣが加熱されると、熱電対ＴＣと接続されている上記電磁安全弁装置ＭＶの電磁石Ｍが熱電対ＴＣの起電力により励磁されて吸着板７を電磁石Ｍの吸着面８に吸着し、吸着板７と一体のマグネット弁Ｖ１を開弁保持する。
上記マグネット弁Ｖ１が開弁保持された後、点火ツマミ１の押圧を解くと、点火ツマミ１だけが「パイロット」位置を保ったまま復帰バネ９で点火操作軸２、先端延長軸４とともに元位置まで後退して戻る。しかし、パイロット弁Ｖ２はカム体３のパイロット弁用カム３ｂで開弁されていて、パイロットバーナＰＢは燃焼を続けているので、引き続き熱電対ＴＣは加熱されてマグネット弁Ｖ１を開放状態に維持している。
【００１９】
次いで、上記点火ツマミ１の押圧を解いたその後の回動操作で器具栓Ｖ３を開弁してメインバーナＭＢへのガス供給を可能とする。すなわち、点火ツマミ１の押し回し及び押圧解除後、点火ツマミ１を「パイロット」位置から「開」位置まで図示反時計方向へ一定の角度（略９０度）ｂだけ回動すると、点火操作軸２に備えたカム体３も回動して器具栓用カム３ａで器具栓Ｖ３を閉止用バネ１４に抗して押し開き、ガス流路５のガス入口５ａからのガスをマグネット弁Ｖ１から後述するガバナ弁ＧＶでメイン流量に見合った安定したガス圧に制御して器具栓Ｖ３からスナップ弁Ｖ５を経てメインバーナＭＢに供給する。そこで、メインバーナＭＢには先のパイロット炎ｃで着火されメイン炎ｄを形成する。
【００２０】
上記ガバナ弁ＧＶは、二次ガス圧によりダイヤフラム１５を押し、その力が調圧バネ１６とバランスするところまでダイヤフラム１５及びガスバルブＶ４が動き、そのバルブシート１７に対するガスバルブＶ４の接離によりガス流路５の開度を調節し、上流側の供給ガス圧に変動があっても使用中のガス量を下流側において一定に保ってガス圧を安定させるもので、ダイヤフラム１５と連動するガスバルブＶ４に対するシート面１７はゴムモールド１７ａ及び研磨によりシート性を高めてガスバルブＶ４とバルブシート１７の加工精度の向上を図り、併せて、ガスバルブＶ４はそのバルブ軸１８に備えたガイド孔１９に固定ガイドピン２０を同一軸心を保って遊挿しガスバルブＶ４の倒れ防止を図ることにより、ガスバルブＶ４とバルブシート１７との関係位置が常時正確に保たれるようになしている。
したがって、点火操作にともなうパイロット点火時にはパイロット弁Ｖ２の開弁によりパイロットバーナＰＢへ、たとえば、１００キロカロリー／時間のガス量が、また、後述する缶体Ａ内の湯温を感知して開閉するスナップ弁体ＳＶのスナップ弁Ｖ５の開弁によるメイン着火時にはメインバーナＭＢへ、たとえば、２万〜３万キロカロリー／時間のガス量が安定して供給されるようにパイロットガス量からメインガス量までの広い制御域が１つのガバナ弁ＧＶで正確、かつ、安定して制御できるように構成されている。図中２１は調圧バネ１６のバネ力を調節する調節ネジ、２２はキャップである。
【００２１】
上記、スナップ弁体ＳＶは、缶体Ａ内の湯温を感知してガス流路５を開閉するためのもので、缶体Ａ内に挿入される感熱棒Ｂが湯温を感知して伸縮することにより、スナップレバー２３を介して押圧体２４でスナップ板２５を押圧又は押圧解除することでスナップ弁Ｖ５を開閉するようになっている。
上記感熱棒Ｂは湯温を感知して伸縮する線膨張率の大きい、たとえば、銅ケース２６に線膨張率の小さい、たとえば、アンバー２７を組み込んで湯温の高低変化により銅ケース２６が伸縮することでアンバー２７が進退移動するようになっており、また、スナップ板２５は一方（スナップ弁Ｖ５の閉止方向）へは自動復帰する反転バネ板で椀状に形成され、このスナップ板２５の外周寄りを押圧体２４で押圧するようになっている。２８は温度調節ネジで、スナップレバー２３の基端部を支承してスナップレバー２３の作動支点を兼ねており、この温度調節ネジ２８でアンバー２７の押動力に対する押圧体２４でのスナップ板２５の押圧力の強弱を調整することにより、スナップ弁Ｖ５の開閉時間をコントロールして湯温調節ができるようになっている。
【００２２】
そこで、缶体Ａ内の湯温が設定温度より低くなると、感熱棒Ｂがこれを感知して銅ケース２６が収縮するため、アンバー２７が前進（図示左方）しスナップレバー２３を図示左方へ温度調節ネジ２８を支点として押動するから、スナップ板２５はスナップレバー２３の先端部で押圧体２４を介して図示左方へその復元力に抗して押され反転する（図１の鎖線の状態参照）。したがって、スナップ弁Ｖ５はスナップ板２５の反転力によりその復帰発条２９に抗して図示左方へ移動し開弁されるためにメインバーナＭＢへのガス流路５は開かれメインバーナＭＢへガスが供給され、先に点火しているパイロット炎ｃでこれに着火しメインバーナＭＢにメイン炎ｄを形成することで、たとえば、自然対流方式の集熱器（図示せず）を加熱して缶体Ａ内の湯温を昇温せしめる。
メインバーナＭＢの燃焼により缶体Ａ内の湯温が上昇して設定温度にまで達すると、感熱棒Ｂがこれを感知して銅ケース２６が伸長するため、アンバー２７が後退（図示右方）してスナップレバー２３によるスナップ板２５の押圧が解かれ、スナップ板２５は図１の実線の状態に自力復帰しスナップ弁Ｖ５は復帰発条２９で図示右方へ押動されて閉弁する。したがって、メインバーナＭＢへのガス流路５は閉ざされメインバーナＭＢへのガス供給は停止されメインバーナＭＢのメイン炎ｄは消火する。
このようにして缶体Ａ内の湯温は常時設定温度に維持されるものである。なお、Ｆは温度ヒューズで、マグネット回路に備えられ、缶体Ａ内の湯温が異常に温度上昇したときに溶断しマグネット弁Ｖ１を閉じガスを遮断するものである。
【００２３】
上記構成において、点火ツマミ１を「止」の位置から「パイロット」の位置まで押し回してパイロットバーナＰＢにパイロット炎ｃが形成された後、その押圧を解いて点火ツマミ１を「パイロット」位置から「開」の位置まで回動してスタンバイ状態となした後は、缶体Ａ内の湯温の高低を感熱棒Ｂが感知してメインバーナＭＢへのガス流路５をスナップ弁体ＳＶで開閉してメインバーナＭＢの燃焼、消火を自動的に行うことにより缶体Ａ内の湯温を常時設定温度に維持するものであり、また、点火ツマミ１を「開」の位置から「止」の位置まで逆に回動することでパイロット弁Ｖ２及び器具栓Ｖ３が閉止してパイロット炎ｃは消火しパイロット炎ｃによる熱電対ＴＣの加熱も停止されるので、熱電対ＴＣによる起電力はなくなってマグネット弁Ｖ１も閉弁するものであるが、ガス流路５に装備されたガバナ弁ＧＶは、ガスバルブＶ４とその弁シート１７との加工精度の確保及びガスバルブＶ４の倒れ防止に対する配慮がなされていることにより、パイロット流量からメイン流量までの広い制御域を１つのガバナ弁ＧＶで安定制御することができる。そして、缶体Ａ内の湯温制御は感熱棒Ｂとスナップ弁体ＳＶとを組み合せて自動的にコントロールする。
また、常火パイロットバーナＰＢを用いてマグネット弁Ｖ１が閉弁される構造としたから、マグネット回路抵抗の経時的増加による起電力の低下が懸念されることもない。なお、上記実施の形態のように、換気不良時（酸欠時）等の安全性を高めるにはパイロット炎の消火によりマグネット弁を即座に閉弁させる不燃防止の構造とするのが望ましい。
【００２４】
以上この発明の実施の形態の一例について説明したが、この発明はこうした実施の形態に何等限定されるものではなく、この発明の要旨を逸脱しない範囲において種々なる態様で実施し得ることは勿論である。
【００２５】
【発明の効果】
この発明は、以上説明したような形態で実施され、以下に記載されるような効果を奏する。
【００２６】
この発明の請求項１記載の貯湯式ボイラーのコントロールバルブによれば、点火ツマミの押し回し操作でマグネット弁の開弁とパイロットバーナへの点火が行れ、パイロット炎で加熱される熱電対の起電力によりマグネット弁が開弁保持され、点火ツマミの押圧を解いたその後の回動操作で器具栓を開弁してメインバーナへのガス供給を可能としたスタンバイ状態となり、一方、缶体内の湯温を感知して進退する感熱棒によりスナップ弁が開閉されてメインバーナを点滅することにより缶体内の湯温を設定温度に自動制御する貯湯式ボイラーにおいて、上記メインバーナへのガス流量とパイロットバーナへのガス流量をバルブとバルブシートとの関係位置がパイロット流量とメイン流量に見合ったガス量が常時正確に安定して得られるように保たれてパイロット流量からメイン流量までの広い制御域が得られる１つのガバナ弁で安定制御するようにしたから、従来の２ガバナ方式のものに比べ構造の簡略化は勿論のこと、コスト的にも安く提供できる。
【００２７】
また、ガバナ弁のバルブとバルブシートの加工精度の確保とバルブの倒れ防止に対する配慮とがなされているから、パイロット流量からメイン流量までの広い制御域を１つのガバナ弁で対処できる。
【００２８】
この発明の請求項２、３記載の貯湯式ボイラーのコントロールバルブによれば、バルブに対するシート面はゴムモールド及び研磨によりシート性が高められ、また、バルブはバルブ軸にガイドピンが遊挿されて倒れ防止を図っているから、バルブとバルブシートとの関係位置が常に正確に保たれる。
【００２９】
この発明の請求項４記載の貯湯式ボイラーのコントロールバルブによれば、パイロットバーナが熱電対の加熱を兼備する常火パイロットバーナであるため、パイロット炎の消火によりマグネット弁は閉弁されるから、マグネット回路に電気スイッチを設けたもののように、回路抵抗の経時的増加による起電力の低下はなく安全である。
【図面の簡単な説明】
【図１】この発明の貯湯式ボイラーのコントロールバルブの一例を示した概略展開断面図である。
【図２】点火ツマミの回動操作範囲の一例を示した正面図である。
【図３】従来のこの種のコントロールバルブを示した概略展開断面図である。
【符号の説明】
１…点火ツマミ
ＭＶ…電磁安全弁装置
Ｖ１…マグネット弁
ＰＢ…パイロットバーナ
ＴＣ…熱電対
Ｖ３…器具栓
Ａ…缶体
Ｂ…感熱棒
ＳＶ…スナップ弁体
Ｖ５…スナップ弁
ＭＢ…メインバーナ
ＧＶ…ガバナ弁
Ｖ４…ガスバルブ
１７…バルブシート
１７ａ…ゴムモールド
２０…ガイドピン
【図１】
0004203183.tif 000002
【図２】
0004203183.tif 000003
【図３】
0004203183.tif 000004